(57)【要約】【課題】ＩＤＵに接続される２つのＯＤＵの遅延時間の差が大きい場合でも、干渉成分を除去することを可能とする。【解決手段】ＯＤＵ１１は、第１の信号を受信し、第１の受信信号を出力する。ＯＤＵ１２は、第２の信号を受信し、第２の受信信号を出力する。ＩＤＵ１１３は、第１のＯＤＵ１１及び第２のＯＤＵ１２に接続され、第１の受信信号を復調した第１の復調信号から第２の受信信号を復調した第２の復調信号の成分を除去する。遅延調整回路１４は、第１のＯＤＵ１１とＩＤＵ１３との間、及び第２のＯＤＵ１２とＩＤＵ１３との間の少なくとも一方に配置され、第１のＯＤＵ１１から入力される第１の受信信号、及び第２のＯＤＵ１２から入力される第２の受信信号の少なくとも一方を遅延してＩＤＵ１３に出力する。制御手段１５は、遅延調整回路１４の遅延時間を制御し、ＩＤＵ１３に入力される第１の受信信号と第２の受信信号との相対的な時間差を調整する。【選択図】図１
2019208155.tif 000002
【特許請求の範囲】
【請求項１】
第１の信号を受信し、第１の受信信号を出力する第１のＯＤＵ（Outdoor Unit）と、
前記第１の信号とは異なる第２の信号を受信し、第２の受信信号を出力する第２のＯＤＵと、
前記第１のＯＤＵ及び前記第２のＯＤＵに接続され、前記第１の受信信号を復調した第１の復調信号から前記第２の受信信号を復調した第２の復調信号の成分を除去するＩＤＵ（Indoor Unit）と、
前記第１のＯＤＵと前記ＩＤＵとの間、及び前記第２のＯＤＵと前記ＩＤＵとの間の少なくとも一方に配置され、前記第１のＯＤＵから入力される前記第１の受信信号、及び前記第２のＯＤＵから入力される前記第２の受信信号の少なくとも一方を遅延して前記ＩＤＵに出力する遅延調整回路と、
前記遅延調整回路の遅延時間を制御し、前記ＩＤＵに入力される前記第１の受信信号と前記第２の受信信号との相対的な時間差を調整する制御手段とを備える通信装置。
【請求項２】
前記制御手段は、前記第２の復調信号の成分が除去された第１の復調信号の信号品質が所定の基準を満たすように前記相対的な時間差を調整する請求項１に記載の通信装置。
【請求項３】
前記第１の信号と前記第２の信号とは、搬送波の周波数が相互に等しく、かつ偏波状態が相互に異なる請求項１又は２に記載の通信装置。
【請求項４】
前記ＩＤＵは、前記第１の受信信号を復調して前記第１の復調信号を生成する第１の復調器、前記第２の受信信号を復調して前記第２の復調信号を生成する第２の復調器、及び前記第１の復調信号と第２の復調信号とを合成することで前記第１の復調信号から前記第２の復調信号の成分を除去する干渉除去手段とを有する請求項１から３何れか１項に記載の通信装置。
【請求項５】
前記干渉除去手段は、前記第１の復調信号と前記第２の復調信号との相対的な時間差を調整しつつ前記第１の復調信号と前記第２の復調信号とを合成する請求項４に記載の通信装置。
【請求項６】
前記第１のＯＤＵ及び前記第２のＯＤＵの一方はアナログＯＤＵであり、他方はデジタルＯＤＵである請求項１から５何れか１項に記載の通信装置。
【請求項７】
前記第２のＯＤＵはデジタルＯＤＵであり、
前記遅延調整回路は、前記第２のＯＤＵと前記ＩＤＵとの間に配置されたデジタルフィルタを含む請求項１から６何れか１項に記載の通信装置。
【請求項８】
前記デジタルフィルタは、無限インパルス応答フィルタ、又は有限インパルス応答フィルタを含む請求項７に記載の通信装置。
【請求項９】
第１の信号を受信し、第１の受信信号を出力する第１のＯＤＵ（Outdoor Unit）から入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、
前記第１のＯＤＵ及び前記第２のＯＤＵに接続されるＩＤＵ（Indoor Unit）に入力される前記第１の受信信号と前記第２の受信信号との相対的な時間差を調整する通信装置の制御方法。
【請求項１０】
第１の信号を受信し、第１の受信信号を出力する第１のＯＤＵ（Outdoor Unit）から入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、
前記第１のＯＤＵ及び前記第２のＯＤＵに接続されるＩＤＵ（Indoor Unit）に入力される前記第１の受信信号と前記第２の受信信号との相対的な時間差を調整する処理をプロセッサに実行させるためのプログラム。
【発明の詳細な説明】
【技術分野】
【０００１】
本開示は、通信装置及びその制御方法に関し、更に詳しくは、複数のＯＤＵ（Outdoor Unit）に接続されるＩＤＵ（Indoor Unit）を有する通信装置、並びにそのような通信装置の制御方法及びプログラムに関する。
【背景技術】
【０００２】
伝送容量の増大が可能な通信方式として、偏波状態が異なる複数の信号を用いる通信方式が知られている。そのような通信方式として、例えば、同一周波数の互いに直交する２つの偏波面（垂直偏波と水平偏波）を用いて信号の伝送を行う両偏波伝送方式が知られている。両偏波伝送方式は、例えばマイクロ波通信に用いられる。
【０００３】
両偏波伝送方式においては、垂直偏波と水辺偏波とで同じ搬送波周波数が使用されるため、偏波面の直交にずれがあると、異偏波の信号が自偏波にもれ込んで干渉成分となる。この干渉成分は、信号の伝送品質の劣化をもたらす。特に、多値変調方式の場合には、干渉成分に起因する伝送品質の劣化は無視できない。
【０００４】
受信側において上記干渉成分を除去する技術として、交差偏波干渉キャンセラ（ＸＰＩＣ：Cross Polarization Interference Canceller）が知られている。ＸＰＩＣでは、異偏波の受信信号から干渉レプリカ信号が生成され、自偏波の受信信号から干渉レプリカ信号が減算される。このようにすることで、自偏波の受信信号中の異偏波信号成分を除去することができる。
【０００５】
特許文献１は、ＸＰＩＣを用いる無線通信装置を開示する。特許文献１に記載の無線通信装置は、異偏波が入力される経路に、自偏波と異偏波との相対的な遅延を計測する遅延処理手段を有する。遅延処理手段は、相対的な遅延の計測結果に基づいて、自身の遅延時間を調整する。遅延時間を調整することで、自偏波の受信信号の位相と干渉レプリカ信号の位相とを揃えることができ、自偏波の受信信号から異偏波成分を十分に除去することができる。
【０００６】
また、特許文献２は、ケーブルを介して相互に接続されたＩＤＵ及びＯＤＵを含む通信装置（伝送装置対）を開示する。ＯＤＵは、ＲＦ（Radio frequency）帯域での信号処理、例えば周波数アップ／ダウンコンバージョン、及び増幅を担う。ＩＤＵは、ベースバンド帯域での信号処理、例えば符号化／復号化、インタリーブ／デインタリーブ、及び変復調を担う。フロントエンド装置であるＯＤＵは、ＲＦユニットとも呼ばれる。また、バックエンド装置であるＩＤＵは、ベースバンドユニットとも呼ばれる。通信装置がＩＤＵとＯＤＵとを含む場合、両偏波復調信号位相の不確定要素はＩＤＵとＯＤＵとを接続するケーブル長が支配的となる。
【０００７】
特許文献２に記載の通信装置は、ケーブルの長さを算出するケーブル長算出部を有する。特許文献２では、自偏波の受信に用いられるＯＤＵとＩＤＵとの間のケーブル長、及び異偏波の受信に用いられるＯＤＵとＩＤＵとの間のケーブル長が算出される。通信装置は、自偏波側のケーブル長と異偏波側のケーブル長との差に応じた遅延時間だけ、信号を遅延する。このようにすることで、ＸＰＩＣにおいて、自偏波の受信信号の位相と干渉レプリカ信号の位相とを揃えることができ、自偏波の受信信号から異偏波成分を十分に除去することができる。
【先行技術文献】
【特許文献】
【０００８】
【特許文献１】特開２０１７−１３９６０６号公報
【特許文献２】特開２０１３−４６１９５号公報
【発明の概要】
【発明が解決しようとする課題】
【０００９】
特許文献１において、遅延処理手段は復調部の後段に配置されている。一般に復調はＩＤＵで実施されるため、特許文献１に記載の無線装置がＩＤＵとＯＤＵとを含む場合、遅延時間の調整はＩＤＵにおいて実施される。また、特許文献２において、信号を遅延するシフトレジスタはＩＤＵに配置されており、遅延時間の調整はＩＤＵにおいて実施される。
【００１０】
ここで、通信装置がＩＤＵとＯＤＵとを含む場合、ＩＤＵは変更せずに、ＯＤＵのみを変更する場合があり得る。別の言い方をすると、既存のＩＤＵと後発のＯＤＵとを組み合わせて通信装置を構成する場合があり得る。その場合、後発で開発したＯＤＵの遅延時間が既存のＯＤＵよりも長い場合がある。ＩＤＵに接続される２つのＯＤＵの遅延時間の差が大きい場合、出荷済みのＩＤＵにおいて遅延時間を補償しきれずに、干渉成分を十分に除去できない場合がある。
【００１１】
本開示は、上記事情に鑑み、ＩＤＵに接続されるＯＤＵ間の遅延時間の差が大きい場合でも、干渉成分を除去することが可能な通信装置、その制御方法、及びプログラムを提供することを目的とする。
【課題を解決するための手段】
【００１２】
上記目的を達成するために、本開示は、第１の信号を受信し、第１の受信信号を出力する第１のＯＤＵと、前記第１の信号とは異なる第２の信号を受信し、第２の受信信号を出力する第２のＯＤＵと、前記第１のＯＤＵ及び前記第２のＯＤＵに接続され、前記第１の受信信号を復調した第１の復調信号から前記第２の受信信号を復調した第２の復調信号の成分を除去するＩＤＵと、前記第１のＯＤＵと前記ＩＤＵとの間、及び前記第２のＯＤＵと前記ＩＤＵとの間の少なくとも一方に配置され、前記第１のＯＤＵから入力される前記第１の受信信号、及び前記第２のＯＤＵから入力される前記第２の受信信号の少なくとも一方を遅延して前記ＩＤＵに出力する遅延調整回路と、前記遅延調整回路の遅延時間を制御し、前記ＩＤＵに入力される前記第１の受信信号と前記第２の受信信号との相対的な時間差を調整する制御手段とを備える通信装置を提供する。
【００１３】
本開示は、また、第１の信号を受信し、第１の受信信号を出力する第１のＯＤＵから入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、前記第１のＯＤＵ及び前記第２のＯＤＵに接続されるＩＤＵに入力される前記第１の受信信号と前記第２の受信信号との相対的な時間差を調整する通信装置の制御方法を提供する。
【００１４】
本開示は、第１の信号を受信し、第１の受信信号を出力する第１のＯＤＵから入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、前記第１のＯＤＵ及び前記第２のＯＤＵに接続されるＩＤＵに入力される前記第１の受信信号と前記第２の受信信号との相対的な時間差を調整する処理をプロセッサに実行させるためのプログラムを提供する。
【発明の効果】
【００１５】
本開示に係る通信装置、その制御方法、及びプログラムは、ＩＤＵに接続されるＯＤＵ間の遅延時間の差が大きい場合でも、ＩＤＵにおいて干渉成分を除去することができる。
【図面の簡単な説明】
【００１６】
【図１】本開示の概略的な通信装置を示すブロック図。
【図２】本開示の第１実施形態に係る通信装置を含む通信システムを示すブロック図。
【図３】受信側の無線通信装置の構成例を示すブロック図。
【図４】遅延調整回路の構成例を示すブロック図。
【図５】受信遅延回路の構成例を示すブロック図。
【図６】遅延時間調整の動作手順を示すフローチャート。
【図７】本開示の第２実施形態に係る無線通信装置において用いられる受信遅延回路を示すブロック図。
【発明を実施するための形態】
【００１７】
本開示の実施の形態の説明に先立って、本開示の概要を説明する。図１は、本開示の概略的な通信装置を示す。通信装置１０は、第１のＯＤＵ１１、第２のＯＤＵ１２、ＩＤＵ１３、遅延調整回路１４、及び制御手段１５を有する。第１のＯＤＵ１１は、第１の信号を受信し、第１の受信信号を出力する。第２のＯＤＵ１２は、第１の信号とは異なる第２の信号を受信し、第２の受信信号を出力する。ＩＤＵ１３は、第１のＯＤＵ１１及び第２のＯＤＵ１２に接続される。ＩＤＵ１３は、第１の受信信号を復調した第１の復調信号から第２の受信信号を復調した第２の復調信号の成分を除去する。
【００１８】
遅延調整回路１４は、第１のＯＤＵ１１及び第２のＯＤＵ１２とＩＤＵ１３との間の少なくとも一方に配置される。遅延調整回路１４は、第１のＯＤＵ１１から入力される第１の受信信号、及び第２のＯＤＵ１２から入力される第２の受信信号の少なくとも一方を遅延してＩＤＵ１３に出力する。図１の例では、遅延調整回路１４は、第２のＯＤＵ１２とＩＤＵ１３との間に配置されており、第２の受信信号を遅延してＩＤＵ１３に出力する。制御手段１５は、遅延調整回路１４の遅延時間を制御し、ＩＤＵ１３に入力される第１の受信信号と第２の受信信号との相対的な時間差を調整する。
【００１９】
本開示では、通信装置１０は、例えば第２のＯＤＵ１２とＩＤＵ１３との間に遅延調整回路１４を有しており、遅延調整回路１４は、ＩＤＵ１３に入力される第２の受信信号を遅延する。ＩＤＵ１３は、第１のＯＤＵ１１から入力される第１の受信信号を復調した第１の復調信号から、第２のＯＤＵ１２から遅延調整回路１４を介して入力される第２の受信信号を復調した第２の復調信号の成分を除去する。
【００２０】
ここで、通信装置１０において、ＩＤＵ１３はそのままで、第１のＯＤＵ１１及び第２のＯＤＵ１２の少なくとも一方を後発のＯＤＵに置き換える場合がある。その場合において、後発のＯＤＵの遅延時間が置き換え前のＯＤＵの遅延時間と大きく異なる場合がある。ＩＤＵ１３において、第１の復調信号から、干渉成分である第２の復調信号の成分を除去するためには、ＩＤＵ１３において双方の信号の位相を揃える必要がある。しかしながら、例えば後発のＯＤＵの遅延時間が置き換え前のＯＤＵの遅延時間よりも大幅に長い場合、ＩＤＵ１３において双方の信号の位相を合わせることができなくなり、第１の復調信号から干渉成分を除去できなくなる場合がある。
【００２１】
本開示では、ＩＤＵ１３の外部に遅延調整回路１４が配置され、遅延調整回路１４は、第１のＯＤＵ１１及び第２のＯＤＵ１２とＩＤＵ１３との間の信号経路において、ＩＤＵ１３に入力される第１の受信信号と第２の受信信号との相対的な時間差を変化させる。このようにすることで、ＩＤＵ１３に接続される２つのＯＤＵの遅延時間の差が大きい場合でも、ＩＤＵ１３において、第１の復調信号と第２の復調信号との位相を合わせることができ、第１の復調信号から、干渉成分を除去することができる。
【００２２】
以下、図面を参照しつつ、本開示の実施の形態を詳細に説明する。図２は、本開示の第１実施形態に係る通信装置を含む通信システムを示す。通信システム１００は、無線通信装置１０１と無線通信装置１０２とを有する。以下では、主に、無線通信装置１０２が無線信号を送信し、無線通信装置１０１が無線信号を受信する場合を説明する。しかしながら、無線通信装置１０１及び１０２は、それぞれ無線信号を送受信可能な装置として構成されていてもよい。
【００２３】
無線通信装置１０２は、例えば、送信信号を所定の変調方式で変調する変調部と、変調された信号を無線信号に変換する無線送信部とを有する。無線通信装置１０２は、第１の無線信号と第２の無線信号とを生成する。第１の無線信号及び第２の無線信号は、例えば、搬送波の周波数が相互に等しく、かつ偏波状態が相互に異なる信号である。無線通信装置１０２は、アンテナ１０７から第１の無線信号を送信し、アンテナ１０８から第２の無線信号を送信する。
【００２４】
無線通信装置１０１は、アンテナ１０５及び１０６を用いて、無線通信装置１０２から送信された第１の無線信号及び第２の無線信号を受信する。アンテナ１０５は、第１の無線信号の偏波状態に対応した無線信号を受信し、アンテナ１０６は、第２の無線信号の偏波状態に対応した無線信号を受信する。アンテナ１０５は、アンテナ１０７から送信された第１の無線信号を自偏波の受信信号として受信する。このとき、アンテナ１０５は、アンテナ１０８から送信された第２の無線信号の一部を、異偏波の受信信号として受信する。また、アンテナ１０６は、アンテナ１０８から送信された第２の無線信号を自偏波の受信信号として受信する。このとき、アンテナ１０６は、アンテナ１０７から送信された第１の無線信号の一部を異偏波の受信信号として受信する。
【００２５】
無線通信装置１０１において、アンテナ１０５で受信される異偏波成分（第２の無線信号の成分）は、自偏波の成分（第１の無線信号の成分）に対する干渉成分となる。無線通信装置１０１は、アンテナ１０６で受信される自偏波の成分（第２の無線信号の成分）の復調信号を用いて、アンテナ１０５で受信される受信信号の復調信号から異偏波成分を除去する。これに加えて、無線通信装置１０１は、アンテナ１０５で受信される自偏波の成分（第１の無線信号の成分）の復調信号を用いて、アンテナ１０６で受信される受信信号の復調信号から異偏波成分を除去してもよい。
【００２６】
図３は、受信側の無線通信装置１０１の構成例を示す。無線通信装置１０１は、アナログＯＤＵ１１１、デジタルＯＤＵ１１２、ＩＤＵ１１３、遅延調整回路１１４、及び、制御部１１５を有する。無線通信装置１０１は、図１の通信装置１０に対応する。アナログＯＤＵ１１１は図１の第１のＯＤＵ１１に対応し、デジタルＯＤＵ１１２は図１の第２のＯＤＵ１２に対応し、ＩＤＵ１１３は図１のＩＤＵ１３に対応する。また、遅延調整回路１１４は図１の遅延調整回路１４に対応し、制御部１１５は図１の制御手段１５に対応する。
【００２７】
アナログＯＤＵ１１１は、アンテナ１０５を介して第１の信号を受信し、第１の受信信号を出力する。アナログＯＤＵ１１１が出力する第１の受信信号は、無線通信装置１０２（図２を参照）から送信された第１の無線信号の成分と、干渉成分である第２の無線信号の成分とを含む。アナログＯＤＵ１１１は、受信処理部（第１の受信処理手段）１１７を含む。受信処理部１１７は、アンテナ１０５を介して受信された無線周波数帯の第１の信号を、それよりも周波数が低い中間周波数信号（第１の中間信号）に変換し、中間周波数信号を第１の受信信号として出力する。
【００２８】
デジタルＯＤＵ１１２は、アンテナ１０６を介して第２の信号を受信し、第２の受信信号を出力する。デジタルＯＤＵ１１２が出力する第２の受信信号は、無線通信装置１０１から送信された第２の無線信号の成分と、干渉成分である第１の無線信号の成分とを含む。デジタルＯＤＵ１１２は、受信処理部（第２の受信処理手段）１１８を含む。受信処理部１１８は、アンテナ１０６を介して受信された無線周波数帯の第２の信号を、それよりも周波数が低い中間周波数信号（第２の中間信号）に変換し、中間周波数信号を第２の受信信号として出力する。
【００２９】
ＩＤＵ１１３は、アナログＯＤＵ１１１及びデジタルＯＤＵ１１２に接続される。アナログＯＤＵ１１１及びデジタルＯＤＵ１１２は、例えば屋外に設置されるアンテナ１０５及び１０６の近傍に配置される。一方、ＩＤＵ１１３は、屋内に配置される。ＩＤＵ１１３と、屋外に配置されるアナログＯＤＵ１１１及びデジタルＯＤＵ１１２とは、例えばケーブルなど介して相互に接続される。ＩＤＵ１１３は、ケーブルを通じて、アナログＯＤＵ１１１及びデジタルＯＤＵ１１２に対する電源供給を行ってもよい。また、ＩＤＵ１１３は、ケーブルを介して、送信信号（送信中間周波数信号）をアナログＯＤＵ１１１及びデジタルＯＤＵ１１２に送信してもよい。
【００３０】
ＩＤＵ１１３は、ベースバンド信号の処理を行うベースバンド処理部１３０を有する。ベースバンド処理部１３０は、受信に関わる構成要素として、復調器１３１、復調器１３２、ＸＰＩＣ１３３、及び信号品質測定部１３４を有する。図３では図示を省略しているが、ＩＤＵ１１３は、アナログ信号をデジタル信号に変換するＡＤ（Analog to Digital）変換器なども有している。
【００３１】
復調器（第１の復調器）１３１は、アナログＯＤＵ１１１から出力される第１の受信信号を復調し、第１の復調信号を生成する。復調器（第２の復調器）１３２は、デジタルＯＤＵ１１２から出力される第２の受信信号を復調し、第２の復調信号を生成する。ＸＰＩＣ（干渉除去手段）１３３は、第１の復調信号と第２の復調信号とを合成することで、第１の復調信号から第２の復調信号の成分を除去する。このとき、ＸＰＩＣ１３３は、第１の復調信号と第２の復調信号との相対的な時間差を調整しつつ第１の復調信号と第２の復調信号とを合成する。第１の復調信号と第２の復調信号との相対的な時間差を調整することで、双方の信号の位相を揃えることができ、第１の復調信号から第２の復調信号の成分を除去することができる。
【００３２】
信号品質測定部１３４は、ＸＰＩＣ１３３を用いて干渉成分が除去された信号の信号品質を測定する。信号品質測定部１３４は、例えば搬送波対雑音比（ＣＮＲ：Carrier to Noise Ratio）を、信号品質として測定する。信号品質測定部１３４は、測定した信号品質を示す情報を、制御部１１５に出力する。
【００３３】
遅延調整回路１１４は、デジタルＯＤＵ１１２とＩＤＵ１１３との間に配置され、ＩＤＵ１１３に入力される第２の受信信号を遅延する。遅延調整回路１１４は、例えばデジタルＯＤＵ１１２とＩＤＵ１１３との間の信号配線の信号遅延時間を変化させるための可変遅延回路を含む。
【００３４】
なお、図３では、無線通信装置１０１がデジタルＩＤＵ１１２とＩＤＵ１１３との間に遅延調整回路１１４を有する例が示されているが、遅延調整回路１１４は、アナログＯＤＵ１１１とＩＤＵ１１３との間に配置されていてもよい。その場合、遅延調整回路１１４は、ＩＤＵ１１３に入力される第１の受信信号を遅延する。あるいは、無線通信装置１０１は、アナログＯＤＵ１１１とＩＤＵ１１３との間、及びデジタルＯＤＵ１１２とＩＤＵ１１３との間の双方に遅延調整回路１１４を有していてもよい。
【００３５】
制御部１１５は、遅延調整回路１１４の遅延時間を制御し、ＩＤＵ１１３に入力される第１の受信信号と第２の受信信号との相対的な時間差を調整する。制御部１１５は、信号品質測定部１３４が測定した信号品質が所定の基準を満たすように、第１の受信信号と第２の受信信号との相対的な時間差を調整する。制御部１１５は、例えばある時間間隔で周期的に信号品質を監視し、信号品質に基づいて遅延調整回路１１４の遅延時間を制御する。あるいは、制御部１１５は、例えばＩＤＵ１１３に接続される２つのＯＤＵの少なくとも一方が別のＯＤＵに交換された場合に、信号品質を取得し、遅延調整回路１１４の遅延時間を制御してもよい。
【００３６】
図４は、遅延調整回路１１４の構成例を示す。遅延調整回路１１４は、ＤＣ（Direct Current）−ＡＣ（Alternative Current）分離合成回路１４１及び１４８、ＢＰＦ（Band Pass Filter）１４２及び１４４、送信パス１４３、ＢＰＦ１４５及び１４７、並びに受信遅延回路１４６を有する。ＤＣ−ＡＣ分離合成回路１４１及び１４８は、ＤＣ成分とＡＣ成分を分離する。
【００３７】
ＢＰＦ１４２及び１４４は、ＡＣ成分に含まれる送信中間周波数信号を分離する。ＢＰＦ１４２及び１４４は、ＡＣ成分に含まれる送信中間周波数信号の帯域の信号が送信パス１４３を通過するように、ＡＣ成分に含まれる所定帯域の信号を通過させる。ＢＰＦ１４５及び１４７は、ＡＣ成分に含まれる受信中間周波数信号を分離する。つまり、ＢＰＦ１４５及び１４７は、デジタルＯＤＵ１１２からＩＤＵ１１３に出力される第２の受信信号を分離する。受信遅延回路１４６は、分離された第２の受信信号を遅延する。
【００３８】
図５は、受信遅延回路１４６の構成例を示す。受信遅延回路１４６は、ドライバアンプ１６１、複数のスイッチＳＷ１〜ＳＷ５、及び複数の容量Ｃ１〜Ｃ５を有する。ドライバアンプ１６１は、デジタルＯＤＵ１１２が出力する第２の受信信号を所定の増幅率で増幅して出力する。各スイッチＳＷ１〜ＳＷ５、及び各容量Ｃ１〜Ｃ５は、互いに直列に接続されて、受信信号の信号配線とグランドとの間に挿入される。容量Ｃ１〜Ｃ５の容量値は、例えばＣ１＜Ｃ２＜Ｃ３＜Ｃ４＜Ｃ５であるとする。容量Ｃ１〜Ｃ５の容量値は、相互に等しくてもよい。なお、図５では、スイッチ及び容量の個数を５つとしているが、これらの個数は特に限定されない。
【００３９】
制御部１１５（図３を参照）は、スイッチＳＷ１〜ＳＷ５のうち、どれをオンにし、どれをオフにするかを制御する。制御部１１５は、例えばある局面において、スイッチＳＷ５のみをオンにし、残りのスイッチをオフに制御する。また、制御部１１５は、別の局面において、スイッチＳＷ１のみをオンにし、残りのスイッチをオフに制御する。制御部１１５は、オンにするスイッチを変化させ、信号配線に付加される容量の大きさを制御することで、遅延調整回路１１４における第２の受信信号の遅延時間を変化させる。オンにするスイッチは１つには限られず、制御部１１５は、スイッチＳＷ１〜ＳＷ５のうちの任意の個数のスイッチをオンに制御してもよい。さらに、制御部１１５は、スイッチＳＷ１〜ＳＷ５の全てをオフに制御してもよい。その場合、遅延時間は最小となる。
【００４０】
続いて、動作手順を説明する。図６は、遅延時間調整の動作手順を示す。アナログＯＤＵ１１１は、第１の受信信号をＩＤＵ１１３に出力し、デジタルＯＤＵ１１２は、第２の受信信号をＩＤＵ１１３に出力する。ＩＤＵ１１３において、復調器１３１は、自偏波信号である第１の受信信号を復調し、第１の復調信号を生成する（ステップＳ１）。また、復調器１３２は、異偏波信号である第２の受信信号を復調し、第２の復調信号を生成する（ステップＳ２）。ＸＰＩＣ１３３は、第１の復調信号と第２の復調信号とを位相を揃えて合成し、第１の復調信号から、干渉成分である第２の復調信号の成分を除去する（ステップＳ３）。
【００４１】
信号品質測定部１３４は、干渉成分が除去された第１の復調信号の信号品質を測定する（ステップＳ４）。制御部１１５は、信号品質測定部１３４から測定された信号品質を取得し、信号品質が規定値以上であるか否かを判断する（ステップＳ５）。制御部１１５は、ステップＳ５では、例えば信号品質測定部１３４が測定したＣＮＲが、所定の基準値以上であるか否かを判断する。制御部１１５は、信号品質が規定値以上であると判断した場合は、遅延時間の調整を終了する。
【００４２】
制御部１１５は、ステップＳ５で信号品質が規定値に満たないと判断した場合、遅延調整回路１１４の遅延時間を調整する（ステップＳ６）。制御部１１５は、ステップＳ６では、例えばステップＳ３でＸＰＩＣ１３３が第１の復調信号と第２の復調信号とを合成する際に設定した遅延時間（相対的な時間差）を取得する。制御部１１５は、取得した遅延時間に応じて、遅延調整回路１１４の受信遅延回路１４６（図４を参照）の遅延時間を調整する。制御部１１５は、第１の復調信号と第２の復調信号と相対的な時間差が大きい場合は、ステップＳ６において受信遅延回路１４６の遅延時間を大きく変化させる。制御部１１５は、第１の復調信号と第２の復調信号と相対的な時間差が小さい場合は、小さな変化幅で、受信遅延回路１４６の遅延時間を調整する。
【００４３】
遅延時間の調整後、処理はステップＳ１に戻り、第１の受信信号及び第２の受信信号の復調、第１の受信信号における干渉成分の除去、及び、信号品質の測定が実施される。無線通信装置１０１では、ステップＳ１〜Ｓ６が、ステップＳ５において信号品質が規定値以上になったと判断されるまで、繰り返し実施される。信号品質が規定値以上となるように遅延時間が調整されることで、ＩＤＵ１１３において、信号品質が高い復調信号を得ることができる。復調信号は、その後、識別器などを用いてデータ列などに変換される。
【００４４】
例えば、ＩＤＵ１１３に接続される２つのＯＤＵのタイプが異なる場合、各ＯＤＵにおいて無線信号が受信されてからＩＤＵ１１３に受信信号が入力されるまでの遅延時間は、ＯＤＵごとに大きく異なる場合がある。具体的に、アナログＯＤＵ１１１とデジタルＯＤＵ１１２とでは、遅延時間が大きく異なる場合がある。また、アナログＯＤＵ１１１及びデジタルＯＤＵ１１２の少なくとも一方を後発の製品で置き換えた場合も、ＩＤＵ１１３に入力される両信号の遅延時間の差が大きくなる場合がある。遅延時間の差が、ＩＤＵ１１３内のＸＰＩＣ１３３において補償可能な遅延時間の範囲よりも大きい場合、自偏波信号から干渉成分を除去しきれず、信号品質が劣化する。
【００４５】
本実施形態では、無線通信装置１０１は、デジタルＯＤＵ１１２とＩＤＵ１１３との遅延調整回路１１４を有する。遅延調整回路１１４は、ＩＤＵ１１３の外部において、第１の受信信号と第２の受信信号との相対的な時間差を調整する。遅延調整回路１１４の遅延時間を調整することで、ＩＤＵ１１３に入力される第１の受信信号と第２の受信信号との間の相対的な時間差を、ＸＰＩＣ１３３において補償可能な遅延時間の範囲に収めることができる。このため、本実施形態では、ＩＤＵ１１３に接続されるＯＤＵ間で遅延時間の差が大きい場合でも、ＩＤＵ１１３には変更を加えずに、ＩＤＵ１１３において干渉成分を除去することができ、信号品質の劣化を抑制できる。
【００４６】
次いで、本開示の第２実施形態を説明する。図７は、本開示の第２実施形態に係る無線通信装置において用いられる受信遅延回路を示す。本実施形態において、遅延調整回路１１４（図３を参照）は、受信遅延回路１４６（図４を参照）として、デジタルフィルタ１４９を有する。他の点は、第１実施形態と同様でよい。
【００４７】
デジタルフィルタ１４９は、無限応答インパルスフィルタ、又は有限インパルス応答フィルタを含む。デジタルフィルタ１４９において、タップを切り替えることで、デジタルＯＤＵ１１２（図３を参照）からＩＤＵ１１３に出力される第２の受信信号の遅延時間が調整される。制御部１１５は、信号品質測定部１３４が測定した信号品質などに基づいて、デジタルフィルタ１４９におけるタップを選択し、第１の受信信号と第２の受信信号との相対的な時間差を調整する。
【００４８】
本実施形態では、第２の受信信号を遅延させる遅延調整回路にデジタルフィルタ１４９が用いられる。デジタルフィルタ１４９を用いる場合も、第１実施形態と同様に、ＩＤＵ１１３に接続されるＯＤＵ間で遅延時間の差が大きい場合でも、ＩＤＵ１１３には変更を加えずに、ＩＤＵ１１３において干渉成分を除去することができ、信号品質の劣化を抑制できる。遅延調整回路１１４において、デジタルフィルタ１４９を用いて遅延時間を調整するか、或いは、キャパシタなどを用いて遅延時間を調整するかは、回路規模やコストなどに応じて適宜選択すればよい。
【００４９】
なお、上記各実施形態において、制御部１１５で実施される処理は、無線通信装置１０１が有するＡＳＩＣ（Application Specific Integrated Circuit）、ＤＳＰ（Digital Signal Processor）、ＭＰＵ（Micro Processing Unit）若しくはＣＰＵ（Central Processing Unit）又はこれらの組み合わせを含むコンピュータ・システムを用いて実現することができる。具体的には、制御部１１５の機能は、測定された信号品質に応じて遅延調整回路１１４の遅延時間を制御する処理に関する命令群を含むプログラムをコンピュータ・システムに実行させることで、実現できる。
【００５０】
上記各実施形態において、プログラムは、様々なタイプの非一時的なコンピュータ可読媒体を用いて格納され、コンピュータに供給することができる。非一時的なコンピュータ可読媒体は、様々なタイプの実体のある記憶媒体を含む。非一時的なコンピュータ可読媒体の例は、例えばフレキシブルディスク、磁気テープ、又はハードディスクなどの磁気記録媒体、例えば光磁気ディスクなどの光磁気記録媒体、ＣＤ（compact disc）、又はＤＶＤ（digital versatile disk）などの光ディスク媒体、及び、マスクＲＯＭ（read only memory）、ＰＲＯＭ（programmable ROM）、ＥＰＲＯＭ（erasable PROM）、フラッシュＲＯＭ、又はＲＡＭ（random access memory）などの半導体メモリを含む。また、プログラムは、様々なタイプの一時的なコンピュータ可読媒体を用いてコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００５１】
図３では、ＩＤＵ１１３が、アナログＯＤＵ１１１とデジタルＯＤＵ１１２とに接続される例を示したが、これには限定されない。ＩＤＵ１１３に接続される２つのＯＤＵは、異なるタイプのＯＤＵには限定されず、同じタイプのＯＤＵであってもよい。
【００５２】
以上、本開示の実施形態を詳細に説明したが、本開示は、上記した実施形態に限定されるものではなく、本開示の趣旨を逸脱しない範囲で上記実施形態に対して変更や修正を加えたものも、本開示に含まれる。
【００５３】
例えば、上記の実施形態の一部又は全部は、以下の付記のようにも記載され得るが、以下には限られない。
【００５４】
［付記１］
第１の信号を受信し、第１の受信信号を出力する第１のＯＤＵ（Outdoor Unit）と、
前記第１の信号とは異なる第２の信号を受信し、第２の受信信号を出力する第２のＯＤＵと、
前記第１のＯＤＵ及び前記第２のＯＤＵに接続され、前記第１の受信信号を復調した第１の復調信号から前記第２の受信信号を復調した第２の復調信号の成分を除去するＩＤＵ（Indoor Unit）と、
前記第１のＯＤＵと前記ＩＤＵとの間、及び前記第２のＯＤＵと前記ＩＤＵとの間の少なくとも一方に配置され、前記第１のＯＤＵから入力される前記第１の受信信号、及び前記第２のＯＤＵから入力される前記第２の受信信号の少なくとも一方を遅延して前記ＩＤＵに出力する遅延調整回路と、
前記遅延調整回路の遅延時間を制御し、前記ＩＤＵに入力される前記第１の受信信号と前記第２の受信信号との相対的な時間差を調整する制御手段とを備える通信装置。
【００５５】
［付記２］
前記制御手段は、前記第２の復調信号の成分が除去された第１の復調信号の信号品質が所定の基準を満たすように前記相対的な時間差を調整する付記１に記載の通信装置。
【００５６】
［付記３］
前記信号品質は搬送波対ノイズ比である付記２に記載の通信装置。
【００５７】
［付記４］
前記第１の信号と前記第２の信号とは、搬送波の周波数が相互に等しく、かつ偏波状態が相互に異なる付記１から３何れか１つに記載の通信装置。
【００５８】
［付記５］
前記ＩＤＵは、前記第１の受信信号を復調して前記第１の復調信号を生成する第１の復調器、前記第２の受信信号を復調して前記第２の復調信号を生成する第２の復調器、及び前記第１の復調信号と第２の復調信号とを合成することで前記第１の復調信号から前記第２の復調信号の成分を除去する干渉除去手段とを有する付記１から４何れか１つに記載の通信装置。
【００５９】
［付記６］
前記干渉除去手段は、前記第１の復調信号と前記第２の復調信号との相対的な時間差を調整しつつ前記第１の復調信号と前記第２の復調信号とを合成する付記５に記載の通信装置。
【００６０】
［付記７］
前記第１のＯＤＵ及び前記第２のＯＤＵの一方はアナログＯＤＵであり、他方はデジタルＯＤＵである付記１から６何れか１つに記載の通信装置。
【００６１】
［付記８］
前記遅延調整回路は、信号の遅延時間が可変に構成された可変遅延回路を含む付記１から７何れか１つに記載の通信装置。
【００６２】
［付記９］
前記第２のＯＤＵはデジタルＯＤＵであり、
前記遅延調整回路は、前記第２のＯＤＵと前記ＩＤＵとの間に配置されたデジタルフィルタを含む付記１から７何れか１つに記載の通信装置。
【００６３】
［付記１０］
前記デジタルフィルタは、無限インパルス応答フィルタ、又は有限インパルス応答フィルタを含む付記９に記載の通信装置。
【００６４】
［付記１１］
前記第１のＯＤＵは、第１のアンテナを介して前記第１の信号を受信し、前記第１の信号を第１の中間信号に変換して前記第１の受信信号として出力する第１の受信処理手段を有し、
前記第２のＯＤＵは、第２のアンテナを介して前記第２の信号を受信し、前記第２の信号を第２の中間信号に変換して前記第２の受信信号として出力する第１の受信処理手段を有する付記１から１０何れか１つに記載の通信装置。
【００６５】
［付記１２］
第１の信号を受信し、第１の受信信号を出力する第１のＯＤＵ（Outdoor Unit）から入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、
前記第１のＯＤＵ及び前記第２のＯＤＵに接続されるＩＤＵ（Indoor Unit）に入力される前記第１の受信信号と前記第２の受信信号との相対的な時間差を調整する通信装置の制御方法。
【００６６】
［付記１３］
第１の信号を受信し、第１の受信信号を出力する第１のＯＤＵ（Outdoor Unit）から入力される第１の受信信号と、前記第１の信号とは異なる第２の信号を受信し、第２の受信信号を出力する第２のＯＤＵから入力される第２の受信信号との一方を遅延する遅延調整回路の遅延時間を制御し、
前記第１のＯＤＵ及び前記第２のＯＤＵに接続されるＩＤＵ（Indoor Unit）に入力される前記第１の受信信号と前記第２の受信信号との相対的な時間差を調整する処理をプロセッサに実行させるためのプログラム。
【符号の説明】
【００６７】
１０：通信装置
１１、１２：ＯＤＵ
１３：ＩＤＵ
１４：遅延調整回路
１５：制御手段
１００：通信システム
１０１、１０２：無線通信装置
１０５〜１０８：アンテナ
１１１：アナログＯＤＵ
１１２：デジタルＯＤＵ
１１３：ＩＤＵ
１１４：遅延調整回路
１１５：制御部
１１７、１１８：受信処理部
１３０：ベースバンド処理部
１３１、１３２：復調器
１３３：ＸＰＩＣ
１３４：信号品質測定部
１４１、１４８：ＤＣ−ＡＣ分離合成回路
１４２、１４４、１４５、１４７：ＢＰＦ
１４３：送信パス
１４６：受信遅延回路
１４９：デジタルフィルタ
【図１】
2019208155.tif 000003
【図２】
2019208155.tif 000004
【図３】
2019208155.tif 000005
【図４】
2019208155.tif 000006
【図５】
2019208155.tif 000007
【図６】
2019208155.tif 000008
【図７】
2019208155.tif 000009